(57)【要約】【課題】空間を有効利用し，ゴミ箱の取り出しと同時に蓋の開閉が可能なゴミ箱を提供する。【解決手段】本考案は，ゴミを収納するゴミ収納手段３と，シンク台１４の可動扉１５に取り付けられ上記ゴミ収納手段を支持する収納支持手段１と，上記ゴミ収納手段の上部開口部３ａを覆う収納蓋２とが，容易に脱着できる機構により結合され，上記収納蓋には，上記可動扉に対する固定側に一端が接続された接続ひもの他端が取り付けられ，可動扉の開閉に応じて収納蓋が開閉することを可能としたゴミ箱が提供される。かかる構成により，空間を有効利用しつつ，ゴミ捨てを容易に行うことが可能となる。【選択図】　図５
0003098120.tif 000002
【実用新案登録請求の範囲】
【請求項１】
ゴミを収納する略箱形のゴミ収納手段と；
固定対象物に固定し，前記ゴミ収納手段を支持する収納支持手段と；
前記収納支持手段に取り付けられ，前記ゴミ収納手段の上部開口面を覆う収納蓋とからなり；
前記収納支持手段は，ゴミ収納手段の開口縁に設けられ下方に開口した溝部と収納支持手段に設けられ上方に開口した溝部とからなる掛止機構によりゴミ収納手段を支持し，収納蓋の取り付け面両端に設けられた軸部と収納支持手段に設けられ上方に開口した断面Ｕ字形の軸受けとからなる支持機構により収納蓋を支持することを特徴とするゴミ箱。
【請求項２】
前記固定対象物は，垂直軸を中心に回転させることにより開閉する可動扉であって；
前記収納蓋には，前記可動扉に対する固定側に一端が接続された接続ひもの他端が取り付けられ，可動扉の開閉に応じて収納蓋が開閉することを特徴とする，請求項１に記載のゴミ箱。
【請求項３】
前記ゴミ収納手段は，固定対象物の厚みに応じた，下方に開口した断面コ字形の溝部である取り付け溝部をゴミ収納手段の開口縁にさらに備えることを特徴とする，請求項１または２のいずれかに記載のゴミ箱。
【請求項４】
前記取り付け溝部が設けられた面の反対面は，補助的にゴミを収納する補助ゴミ収納手段が取り付け可能な，補助ゴミ箱取り付け穴を備えることを特徴とする，請求項３に記載のゴミ箱。
【考案の詳細な説明】
【０００１】
【考案の属する技術分野】
本考案はゴミを収納するゴミ箱にかかり，特に可動扉に取り付けるゴミ箱に関する。
【０００２】
【従来の技術】
従来は，台所や厨房などの調理場から出るゴミを処理するため，ビニール袋やごみ箱を別途に用意し，厨房の任意位置において使用していた。このようなビニール袋やごみ箱は調理場の限られた領域を占有し，調理空間の有効的な利用に支障をきたしていた。
【０００３】
また，ビニール袋やごみ箱を放置することから外観上の問題もあった。さらに，ごみ箱が調理現場から離れた位置に設置されている場合，水にぬれたゴミを移動する途中で，水が滴ってしまう等の欠点もあった。
【０００４】
【考案が解決しようとする課題】
本考案は，従来のゴミ箱が有する上記問題点に鑑みてなされたものであり，本考案の目的は，空間を有効利用し，ゴミ箱の取り出しと同時に蓋の開閉が可能な，新規かつ改良されたゴミ箱を提供することである。
【０００５】
【課題を解決するための手段】
上記課題を解決するため，本考案の第１の観点によれば，ゴミを収納する略箱形のゴミ収納手段と；固定対象物に固定し，上記ゴミ収納手段を支持する収納支持手段と；上記収納支持手段に取り付けられ，上記ゴミ収納手段の上部開口面を覆う収納蓋とからなり；上記収納支持手段は，ゴミ収納手段の開口縁に設けられ下方に開口した溝部と，収納支持手段に設けられ上方に開口した溝部とからなる掛止機構によりゴミ収納手段を支持し，収納蓋の取り付け面両端に設けられた軸部と収納支持手段に設けられ上方に開口した断面Ｕ字形の軸受けとからなる支持機構により収納蓋を支持することを特徴とするゴミ箱が提供される。ここで固定対象物は，調理に使用するシンク台の可動扉としても良い。また，収納蓋は取り付け面両端に設けられた軸部の軸中心に回転する開閉機構になっている。
【０００６】
かかる構成により，壁や扉など垂直面を有する場所に取り付けることが可能となる。さらに，ゴミ収納手段と収納蓋が独立に上記収納支持手段に取り付けられることから各々着脱が容易で，中に収納されるゴミを容易に取り出すことができる。
【０００７】
また，上記固定対象物は，垂直軸を中心に回転させることにより開閉する可動扉であって；上記収納蓋には，上記可動扉に対する固定側に一端が接続された接続ひもの他端が取り付けられ，可動扉の開閉に応じて収納蓋が開閉するとしても良い。
【０００８】
かかる構成により，例えば調理用シンク台の可動扉内面に本考案のゴミ箱を設置することが可能で，空間を有効利用でき，さらに調理する場所から近いためゴミから水が滴る心配もない。また，可動扉を開けると同時に本ゴミ箱の収納蓋が開き，可動扉を閉めると同時に収納蓋も閉まる。このことによりゴミを捨てる行為自体が容易となり，快適に調理を進めることができる。
【０００９】
また，上記ゴミ収納手段は，固定対象物の厚みに応じた，下方に開口した断面コ字形の溝部である取り付け溝部をゴミ収納手段の開口縁にさらに備えるとしても良い。
【００１０】
かかる構成により，シンク台の可動扉外面上部にも本ゴミ箱を一時的に設置することが可能となり，頻繁にゴミを捨てる等の場合便利となる。
【００１１】
また，上記取り付け溝部が設けられた面の反対面は，補助的にゴミを収納する補助ゴミ収納手段が取り付け可能な，補助ゴミ箱取り付け穴を備えるとしても良い。
【００１２】
かかる構成により，ゴミ収納手段より小さく形成された補助ゴミ収納手段をさらに取り付けることが可能となり，ゴミの分別が容易となる。
【００１３】
【考案の実施の形態】
以下に添付図面を参照しながら，本考案の好適な実施の形態について詳細に説明する。なお，本明細書および図面において，実質的に同一の機能構成を有する構成要素については，同一の符号を付することにより重複説明を省略する。
（第１の実施の形態）
図１は本実施形態にかかるゴミ箱を分解した斜視図である。図２は，本実施形態にかかるゴミ箱の設置状態を示す斜視図である。図３は，本実施形態にかかるゴミ箱を設置した状態の横断面図である。図４は，図３においてＡで表された収納支持手段への取り付け部分を拡大した図である。図５は本実施形態のゴミ箱を設置し，使用状態を概略的に表した斜視図である。以下，図１から５を参照して本実施形態を説明する。
【００１４】
本実施形態にかかるゴミ箱は，ゴミを収納するゴミ収納手段３と，ゴミ収納手段３を支持する収納支持手段１と，ゴミ収納手段３の上部開口面を覆う収納蓋２とから構成される。
【００１５】
上記収納支持手段１は，ねじ１７，１７ａを取り付け板４に設けられた固定穴１６，１６ａに通し，固定対象物であるシンク台１４の可動扉１５内面に固定される。
【００１６】
また，収納支持手段１は，取り付け板４に溝部７を有し，ゴミ収納手段３の溝部１２とからなる掛止機構によりゴミ収納手段３を支持する。かかる構成においては，ゴミ収納手段３を容易に脱着でき，中に収納されるゴミ１９を容易に取り出すことができる。
【００１７】
さらに，収納支持手段１は，軸受け片６，６ａに設けられた断面Ｕ字形の軸受け５，５ａを有し，収納蓋２の取り付け面両端に設けられた軸部片１１，１１ａの上部において収納蓋２の長手方向外向きに突出した軸部１０，１０ａを軸受け５，５ａに挿入してなる支持機構により収納蓋２を上下回転可能に支持する。
【００１８】
上記収納蓋２は，適正な長さの接続ひも９が，収納蓋２の蓋板２ａにおける上面略中央に設けられた結合部８に挟み込む形で挿入され，その接続ひも９の他端８ａをシンク台１４の内部側壁の適正箇所に固定する。このように構成することで，シンク台１４の可動扉１５を開閉した場合，同時に収納蓋２が上下に回転し開閉される。接続ひも９の長さは，蓋板２ａとの結合部８またはシンク台１４の内部側壁固定部において変更可能である。このようにして，本実施形態にかかるゴミ箱を設置する際に，シンク台１４の可動扉１５が開かれた状態で，収納蓋２が適正な角度に開かれるよう調整される。
【００１９】
本実施形態にかかるゴミ箱を使用する時は，シンク台１４の可動扉１５を開くことにより，その開かれた程度に応じて，収納蓋２が接続ひも９に引っ張られ軸部１０，１０ａを軸中心として適当な角度に開かれる。このようにしてゴミ収納手段３の開口部３ａが開かれた状態となり，使用者がゴミ１９をゴミ収納手段３内に設けられたビニール袋２０に容易に捨てることができる。
【００２０】
また，溜まったゴミ１９も，上記シンク台１４の可動扉１５を開いただけでゴミ１９の入ったビニール袋２０だけを容易に取り出すことができ，さらには，ゴミ収納手段３自体を取り外すことによってもゴミ１９を捨てることができる。
【００２１】
ここで可動扉１５を閉じると接続ひも９が緩くなり，収納蓋２自体の重さによって収納蓋２が自動的に閉じる仕組みになっている。収納蓋２は，シンク台１４の可動扉１５を閉めた状態では，ゴミ収納手段３の開口部３ａを覆い，上記のようにビニール袋２０が設けられている場合には，ビニール袋２０の上部を挟み込み，ビニール袋２０を固定できる。
【００２２】
ここで，シンク部１８は，シンク台１４の上部を示す。
【００２３】
（第２の実施形態）
図６は，本実施形態にかかるゴミ収納手段３と補助ゴミ収納手段３０を可動扉１５の外側面に設置した使用形態を示す斜視図である。図７は，このように設置されたゴミ収納手段３と補助ゴミ収納手段３０の横断面図である。これは，ゴミの種類に応じてシンク台１４の可動扉１５を閉じたまま本実施形態にかかるゴミ箱を利用する場合有効である。
【００２４】
上記ゴミ収納手段３は，開口部３ａの収納縁における溝部１２の対向する辺に，取り付け溝部１３をさらに備える。このような構成により，ゴミ収納手段３をシンク台１４の可動扉１５の内面から取り外し，さらに可動扉１５の外面上部１５ａに取り付け溝部１３を引っ掛けることによって設置することができる。
【００２５】
また，ゴミ収納手段３は，上記取り付け溝部１３の反対面に補助ゴミ収納手段３０を取り付けるための補助ゴミ箱取り付け穴３２を備える。上記補助ゴミ収納手段３０は補助ゴミ箱固定部３１を備え，上記補助ゴミ箱取り付け穴３２に挿入することによって固定される。上記補助ゴミ収納手段３０は上記ゴミ収納手段３０より小さく形成される。このようにして可動扉１５の外面において２つのゴミ箱を有すこととなり，さらに効果的な使い方が可能になる。
【００２６】
また，本実施形態によるゴミ箱を構成する収納支持手段１と収納蓋２およびゴミ収納手段３の原材料は抗菌性のポリ塩化ビニール（ＰＶＣ：Ｐｏｌｙ　Ｖｉｎｙｌ　Ｃｈｌｏｒｉｄｅ）である。
【００２７】
以上，添付図面を参照しながら本考案の好適な実施形態について説明したが，本考案はかかる例に限定されない。当業者であれば，特許請求の範囲に記載された技術的思想の範疇内において各種の変更例または修正例に想到し得ることは明らかであり，それらについても当然に本考案の技術的範囲に属するものと了解される。
【００２８】
例えば，上記接続ひも９を蓋板２ａの結合部８とシンク台１４の内部側壁の適正箇所に直接固定せず，シンク台１４の可動扉１５に新たに接続ひも９を通すことを可能とした間接固定金具を介して接続できる。かかる構成では，可動扉１５の開閉方向の力を収納蓋２の回転開閉方向の力に変換することができ，さらに容易な収納蓋２の開閉と容易な接続ひも９の調整が可能となる。
【００２９】
【考案の効果】
以上説明したように，本考案によれば，さらに，調理用シンク台の可動扉内面に本考案のゴミ箱を設置することが可能で，ゴミ収納手段と収納蓋が独立して上記収納支持手段に取り付けられることから各々着脱が容易である。このようにして，ゴミ収納手段内に溜まったゴミを容易に取り出すこともできる。
【００３０】
また，シンク台の可動扉内面に取り付けることから，空間を有効利用でき，ゴミ箱が外部に露出しないので厨房の清潔さを維持できる。さらに調理する場所からゴミ箱が近いためゴミから水が滴る心配もない。また，可動扉を開けると同時に本ゴミ箱の収納蓋が開き，可動扉を閉めると同時に収納蓋も閉まる。このことによりゴミを捨てる行為自体が容易となり，快適に調理を進めることができる。
【００３１】
また，ゴミの種類や使用状況によっては，シンク台の可動扉外面にも本ゴミ箱を一時的に設置することが可能となり，頻繁にゴミを捨てる等の場合便利となる。
【図面の簡単な説明】
【図１】本実施形態にかかるゴミ箱を分解した斜視図である。
【図２】本実施形態にかかるゴミ箱の設置状態を示す斜視図である。
【図３】本実施形態にかかるゴミ箱を設置した状態の横断面図である。
【図４】図３においてＡで表された収納支持手段への取り付け部分を拡大した図である。
【図５】本実施形態のゴミ箱を設置し，使用状態を概略的に表した斜視図である。
【図６】本実施形態にかかるゴミ収納手段と補助ゴミ収納手段を可動扉の外側面に設置した使用形態を示す斜視図である。
【図７】可動扉に設置されたゴミ収納手段と補助ゴミ収納手段の横断面図である。
【符号の説明】
１　収納支持手段
２　収納蓋
３　ゴミ収納手段
５　軸受け
５ａ　軸受け
７　溝部
９　接続ひも
１０　軸部
１０ａ　軸部
１２　溝部
１３　取り付け溝部
１４　シンク台
１５　可動扉
３０　補助ゴミ収納手段
３２　補助ゴミ箱取り付け穴
【図１】
0003098120.tif 000003
【図２】
0003098120.tif 000004
【図３】
0003098120.tif 000005
【図４】
0003098120.tif 000006
【図５】
0003098120.tif 000007
【図６】
0003098120.tif 000008
【図７】
0003098120.tif 000009